(57)【要約】【課題】少ないスペースで表示領域の拡大を図ること。【解決手段】情報の表示が可能な第１の表示面を有する第１の表示部２と、前記第１の表示面と重り合う状態を取り得るとともに情報の表示が可能な第２の表示面を有する第２の表示部３と、前記第１の表示面と前記第２の表示面との重なり状態に基づいて、前記第１の表示面および前記第２の表示面の少なくともいずれかに情報を表示出力する表示制御部６と、を備えたことを特徴とする。【選択図】        図１
2006078788.tif 000002
【特許請求の範囲】
【請求項１】
情報の表示が可能な第１の表示面を有する第１の表示手段と、
前記第１の表示面と重り合う状態を取り得るとともに情報の表示が可能な第２の表示面を有する第２の表示手段と、
前記第１の表示面と前記第２の表示面との重なり状態に基づいて、前記第１の表示面および前記第２の表示面の少なくともいずれかに情報を表示出力する表示制御手段と、
を備えたことを特徴とする表示装置。
【請求項２】
前記第２の表示面は、前記第１の表示面と重ならない状態を取り得ることを特徴とする請求項１に記載の表示装置。
【請求項３】
前記第２の表示面は、前記重り合う状態において複数の異なる位置を取り得ることを特徴とする請求項１または２に記載の表示装置。
【請求項４】
前記複数の異なる位置を検出する位置検出手段を備えたことを特徴とする請求項３に記載の表示装置。
【請求項５】
前記位置検出手段は、前記第２の表示面が第１の表示面と重ならない位置を検出することを特徴とする請求項４に記載の表示装置。
【請求項６】
前記第１の表示面および前記第２の表示面の少なくともいずれかに対して表示する情報の内容を決定する決定手段を備え、
前記表示制御手段は、前記決定手段によって決定された内容の情報を表示出力することを特徴とする請求項１〜５のいずれか一つに記載の表示装置。
【請求項７】
前記決定手段は、前記重なり状態に基づいて、表示する情報の内容を決定することを特徴とする請求項６に記載の表示装置。
【請求項８】
前記決定手段は、前記第１の表示面と前記第２の表示面とを組み合わせて一つの表示となる情報の内容を決定することを特徴とする請求項７に記載の表示装置。
【請求項９】
前記第２の表示面として、光を透過し、前記第１の表示面を含む第１の表示手段を視認可能な表示体を用いたことを特徴とする請求項１〜８のいずれか一つに記載の表示装置。
【請求項１０】
前記表示制御手段は、前記第１の表示面と前記第２の表示面とが重なり合う領域に表示される情報の前記第１の表示面における表示位置と前記第２の表示面における表示位置とを異ならせて立体的な表示とすることを特徴とする請求項９に記載の表示装置。
【請求項１１】
前記第２の表示手段は、前記第１の表示面と重ならない領域における前記第２の表示面の背面を覆う背面シートを備えたことを特徴とする請求項９または１０に記載の表示装置。
【請求項１２】
前記第２の表示手段は、前記第１の表示手段上を移動可能であり、
前記位置検出手段は、前記第２の表示手段の移動位置を検出することにより前記重なり状態を検出することを特徴とする請求項４〜１１のいずれか一つに記載の表示装置。
【請求項１３】
前記第２の表示手段を前記第１の表示手段上で移動させる移動手段と、
前記移動手段による第２の表示手段の移動を操作する移動操作手段と、
を備えたことを特徴とする請求項１２に記載の表示装置。
【請求項１４】
前記第２の表示手段が移動して覆う前記第１の表示手段の領域に、前記移動操作手段以外の所定の機能を操作するための操作手段を備えたことを特徴とする請求項１３に記載の表示装置。
【請求項１５】
前記移動操作手段は、前記第２の表示手段が移動した場合でも、当該第２の表示手段によって覆われない領域に設けられていることを特徴とする請求項１３または１４に記載の表示装置。
【請求項１６】
前記第２の表示面に、透明なタッチパネルを重ねて設け、当該タッチパネルを、前記移動操作手段、あるいは前記操作手段として用いることを特徴とする請求項１３〜１５のいずれか一つに記載の表示装置。
【請求項１７】
前記操作手段は複数の操作キーを有し、
前記第２の表示手段によって前記操作手段が覆われたときに、前記複数の操作キーを前記タッチパネル上に表示することを特徴とする請求項１６に記載の表示装置。
【請求項１８】
互いに重なり合う状態を取り得る第１の表示面と第２の表示面の少なくともいずれかに情報を表示する情報表示方法であって、
前記第１の表示面と前記第２表示面との重なり状態を検出する検出工程と、
前記重なり状態に基づいて表示する情報の内容を決定する決定工程と、
前記決定された内容の情報を前記第１の表示面と前記第２の表示面の少なくともいずれかに表示出力する表示工程と、
を有することを特徴とする情報表示方法。
【発明の詳細な説明】
【技術分野】
【０００１】
本発明は、情報を表示する表示装置及び情報表示方法に関する。ただし本発明の利用は前述の表示装置及び情報表示方法には限らない。
【背景技術】
【０００２】
従来、車内に設置されるカーステレオなどの車載用電子機器には表示装置が設けられている。この車載用電子機器は、運転席周辺の限られたスペースに設置されるため、表示部領域および操作部領域を確保するための各種技術が提案されている。たとえば、本体部に格納可能であり、操作部や表示部を備えたパネルを複数設け、このパネルを選択的または同時に引き出して使用する構成のものが開示されている（たとえば、下記特許文献１参照。）。
【０００３】
また、操作パネル上のキーを使用頻度によって分類して配置し、操作パネル上に移動可能な表示部を設け、表示部をスライドさせることにより、キーを分類別に使用可能にした構成のものが開示されている（たとえば、下記特許文献２参照。）。
【０００４】
【特許文献１】特開２０００−２２２８６６号公報
【特許文献２】特開平０８−７２６２４号公報
【発明の開示】
【発明が解決しようとする課題】
【０００５】
しかしながら、上記特許文献１によれば、本体部に格納されている複数のパネルは、前面に引き出して使用し、このパネルの引き出しによって操作用あるいは表示用の領域を形成するものであるため、引き出したパネルにあらかじめ設けられている操作部や表示部の機能だけしか用いることができない。たとえ、パネル全体を引き出してスペースを増大させても、この全体のスペースのなかで操作部と表示部の領域を変更させることはできないという問題が一例として挙げられる。
【０００６】
また、上記特許文献２によれば、表示部は単にキー上をスライドするだけであり、表示領域の大きさ自体を変更することはできず、表示する情報量を増やすことができないという問題が一例として挙げられる。
【課題を解決するための手段】
【０００７】
上述した課題を解決し、目的を達成するため、請求項１の発明にかかる表示装置は、情報の表示が可能な第１の表示面を有する第１の表示手段と、前記第１の表示面と重り合う状態を取り得るとともに情報の表示が可能な第２の表示面を有する第２の表示手段と、前記第１の表示面と前記第２の表示面との重なり状態に基づいて、前記第１の表示面および前記第２の表示面の少なくともいずれかに情報を表示出力する表示制御手段とを備えたことを特徴とする。
【０００８】
また、請求項１８の発明にかかる情報表示方法は、互いに重なり合う状態を取り得る第１の表示面と第２の表示面の少なくともいずれかに情報を表示する情報表示方法であって、前記第１の表示面と前記第２表示面との重なり状態を検出する検出工程と、前記重なり状態に基づいて表示する情報の内容を決定する決定工程と、前記決定された内容の情報を前記第１の表示面と前記第２の表示面の少なくともいずれかに表示出力する表示工程と、を有することを特徴とする。
【発明を実施するための最良の形態】
【０００９】
以下に添付図面を参照して、本発明にかかる表示装置及び情報表示方法の好適な実施の形態を詳細に説明する。
【００１０】
（実施の形態）
図１は、本実施の形態にかかる表示装置の構成を示すブロック図である。表示装置１は、第１の表示部２と、第２の表示部３と、位置検出部４と、決定部５と、表示制御部６と、移動部７と、移動操作部８と、から構成される。
【００１１】
第１の表示部２の表示面と、第２の表示部３の表示面とは平行に設けられる。移動操作部８は、移動部７による第２の表示部３の移動を操作する。移動部７は、移動操作部８の操作によって第２の表示部３を第１の表示部２の表示面と平行な方向に移動させる。第２の表示部３は、第１の表示部２の表示面に対して平行な方向に移動自在である。
【００１２】
位置検出部４は、第２の移動部３が移動した位置を検出することにより、第１の表示部２と第２の表示部３との重なり状態を検出する。決定部５は、位置検出部４によって検出された位置に基づいて、第１の表示部２および第２の表示部３の少なくともいずれかに対して表示する内容を決定する。表示制御部６は、決定部５によって決定された内容の表示情報を、決定された第１の表示部２と、第２の表示部３の少なくともいずれかに表示出力する。
【００１３】
第２の表示部３は、光を透過し、第１の表示部２を視認可能な表示体を用いることができる。その場合、第２の表示部３が移動したときに、第１の表示部２と重ならない領域の当該第２の表示部３の表示体の背面を覆う背面シートを備えてもよい。また、移動操作部８は、第２の表示部３が移動した場合でも、第２の表示部３によって覆われない領域に設けてもよい。
【００１４】
また、決定部５による表示内容の決定は、位置検出部４によって検出された第１の表示面および第２の表示面の重なり状態に基づいておこなうことができる。第１の表示部２および前記第２の表示部３が一部または完全に重なり合う場合に、当該重なり合う領域に、第１の表示部２の表示と第２の表示部３の表示とを組み合わせて１つの表示となる内容、たとえば立体的な表示となる内容としてもよい。
【００１５】
図２は、本実施の形態にかかる表示装置がおこなう処理のフローチャートである。なお、以下本フローチャートにおいて、決定部５が決定する、第１の表示面および第２の表示面に表示する内容の組み合わせを「パターン」という。
【００１６】
まず、第２の表示部３が移動されたか待機し（ステップＳ１１：Ｎｏのループ）、移動の検出を継続する。第２の表示部３が移動されると（ステップＳ１１：Ｙｅｓ）、位置検出部４は第２の表示部３が移動された位置を検出する。決定部５は、第２の表示部３が移動された位置が、第１の表示面と第２の表示面とが完全に重なる位置にあるかを判断する（ステップＳ１２）。第２の表示部３が移動された位置が、第１の表示面と第２の表示面とが完全に重なる位置にある場合（ステップＳ１２：Ｙｅｓ）、決定部５は、第１の表示面および第２の表示面に、あらかじめ定めたパターンＩの表示内容を表示することを決定する（ステップＳ１３）。
【００１７】
また、第１の表示面と第２の表示面とが完全に重なる位置にない場合（ステップＳ１２：Ｎｏ）、第１の表示面と第２の表示面とが一部重なる位置にあるかを判断する（ステップＳ１４）。一部重なる位置にある場合（ステップＳ１４：Ｙｅｓ）、第１の表示面および第２の表示面に、決定部５は、パターンＩＩの表示内容を表示することを決定する（ステップＳ１５）。
【００１８】
また、一部重なる位置にない場合（ステップＳ１４：Ｎｏ）、すなわち全く重なっていない場合、決定部５は、第１の表示面および第２の表示面に、パターンＩＩＩの表示内容を表示することを決定する（ステップＳ１６）。そして、表示制御部６が、決定したパターンの表示内容の情報を第１の表示部２および第２の表示部３にそれぞれ出力し（ステップＳ１７）、ステップＳ１１に戻る。
【００１９】
上記構成によれば、第２の表示部３を移動させることによって、表示領域の変更を図ることができる。表示領域の変更によって、表示装置１の装置スペースを有効に利用しつつ、表示領域を増して表示する情報量を増やすことができる。また、移動位置に応じて表示パターンを切りかえることができるため、表示領域に応じた情報表示をおこなうことができ、多彩な画面表示をおこなうことができる。
【実施例】
【００２０】
以下に、本実施の形態にかかる実施例について詳細に説明する。ここでは、本実施の形態にかかる表示装置を、カーステレオなどの車載用電子機器に適用した場合を例示して説明する。
【００２１】
図３−１は、本実施例にかかる車載用電子機器の斜視図である。図３−２は、車載用電子機器の表示パネルをスライドさせた状態を示す斜視図である。図３−３は、車載用電子機器の表示パネルの斜視図である。本実施例にかかる車載用電子機器５０の構成について図３−１〜図３−３を参照して説明する。車載用電子機器５０は、自動車など車内に設置され、ＣＤ・ＭＤなどのディスク再生やラジオ放送受信などをおこなう。車載用電子機器５０は、車に搭載された際、車内に表出する表示パネル５１と、車体内に格納される格納部５２（筐体）とによって構成される。
【００２２】
格納部５２は、対面配置された天板と底板およびこれらの外周に連続して配置された左右の側板および背板によって構成された四角い箱形形状を有している。格納部５２の正面部５２ａにはディスク挿入口５５が設けられ（図３−２参照）、その前面に表示パネル５１が設置されている。表示パネル５１は、図３−１に示すように天面と垂直となるよう位置する他、図３−２に示すように、図示しないスライド機構によって底面側を前方にスライドさせることができる。これによって、ディスク挿入口５５を表出させてディスクを挿入することができる。
【００２３】
図３−３に示すように、表示パネル５１は、固定部６１と、固定部６１上を移動可能な可動部６２とによって構成される。固定部６１は、横長の直方形状に形成され、一方の端側に段差７１を有し、低面側の第１固定部６１ａおよび高面側の第２固定部６１ｂが形成されている。以下、固定部６１の直方形状のうち横に長い方向を横方向（図中Ｘ方向）、横方向に対して垂直方向を縦方向（図中Ｙ方向）という。第１固定部６１ａには、段差７１に隣接して固定表示部７２が設けられ、段差７１と反対の端側には操作キー７３が設けられている。また、第２固定部６１ｂには、開閉ボタン７５が設けられている。
【００２４】
固定表示部７２（第１表示部）は、横長の長方形に形成されたＬＣＤ（液晶ディスプレイ）であり、バックライトが設けられ、所定の情報を表示する。なお、固定表示部７２はＬＣＤとしてＴＦＴディスプレイや、ＥＬディスプレイなどでもよい。操作キー７３は、主に表示操作以外の機能を操作するための、複数の操作ボタンを備え、この操作ボタンをユーザが押下することによって、ディスクの再生指示、音量調整、ラジオの受信周波数の調整などの車載用電子機器５０に対する操作をおこなう。
【００２５】
また、開閉ボタン７５は、開ボタン７５ａ、閉ボタン７５ｂからなり、表示パネル５１の可動部６２の開閉の調整をおこなうために設けられる。開閉ボタン７５は、第２固定部６１ｂに設けられており、後述する可動部６２の移動範囲外にあるため、可動部６２が移動領域のどの位置にあっても、ユーザは開閉ボタン７５を押下することができる。
【００２６】
可動部６２は、第１固定部６１ａを覆うように略コの字型に形成されている。可動部６２は表面部６２ａと、表面部６２ａの両端部を両端部６２ｂとからなる。両端部６２ｂは、固定部６１の横方向（Ｘ）に向かって形成されており、この横方向（Ｘ）に移動自在である。
【００２７】
以下、可動部６２が、第２固定部６１ｂ側の端６２ｃが段差７１に接する位置にあり、固定表示部７２と可動表示部７７が重なっている状態を「閉状態」という。また、可動部６２が操作キー７３を覆い、固定表示部７２と可動表示部７７との重なる部分がなくなる状態を「全開状態」という。可動部６２は、閉状態から全開状態の間（第１固定部６１ａの範囲内）でＸ方向に移動する。閉状態から全開状態の中間位置にある状態を、以下「半開状態」という。この移動は、開閉ボタン７５の操作による他、手動によって動かすこともできる。なお、図３−１および図３−２の可動部６２は閉状態であり、図３−３の可動部６２は半開状態である。
【００２８】
表面部６２ａのＸ方向の長さは、第１固定部６１ａの長さの約半分である。表面部６２ａには、固定表示部７２と長さおよび幅がほぼ同型の横長の長方形に形成された可動表示部７７が設けられている。可動部６２が図３−１に示す閉状態のとき、固定表示部７２と可動表示部７７は表示面が完全に重なり合う状態になる。
【００２９】
可動表示部７７（第２表示部）は、ＬＣＤが用いられており、所定の情報を表示する。可動表示部７７のバックライトの有無は問わないが、可動表示部７７は透明なＬＣＤが用いられているため、固定表示部７２と重なり合う部分は、固定表示部７２の発光によって視認することができる。なお、可動表示部７７は、ＬＣＤに限らず他の透明な表示素子を用いてもよい。
【００３０】
図４は、表示パネルの移動機構を示す正断面図である。第１固定部６１ａ内部には、モータ８１、ギア群８２、位置検出スイッチ８４が設けられている。ギア群８２は、モータ８１の回転を減速させ、後述するガイド部８３にモータ８１の回転を伝える。ギア群８２の一部は、可動部６２内側に設けられたガイド部８３と係合している。ガイド部８３は、可動部６２の両端部６２ｂのうち、一方（図４の下方側）に設けられている。ガイド部８３は、ギア群８２のホイールと嵌合する形状の歯を有するラックであり、ギア群８２のホイールの一部（ピニオン）と嵌合している。
【００３１】
モータ８１を一方向に回転させると、回転がギア群８２によって減速されてガイド部８３に伝えられる。これによって、ガイド部８３に嵌合した可動部６２を図中Ａ方向に移動させることができる。また、モータ８１を逆方向に回転させると、可動部６２を図中Ｂ方向に移動させることができる。モータ８１は、たとえばパルス入力により駆動されるパルスモータを用いることができる。
【００３２】
位置検出スイッチ８４は、可動部６２の位置を検出し、位置検出信号を出力する。位置検出スイッチ８４は、光センサや接触式スイッチを用いることができる。光センサの場合には、可動部６２に光の反射部材等を設けて可動部６２の移動位置を検出する。接触スイッチの場合には、可動部６２に接触スイッチに接触する突起を設けて可動部６２の移動位置を検出する。
【００３３】
この位置検出スイッチ８４は、可動部６２が閉状態の位置まで移動すると、閉位置検出信号を出力する。また、可動部６２が全開状態の位置まで移動すると、開位置検出信号を出力する。なお、位置検出スイッチ８４に代えて、モータ８１の回転数に基づいて可動部６２の位置を検出する構成にもできる。この場合、モータ８１の回転軸に設けたエンコーダと、エンコーダから出力されるパルスをカウントして可動部６２の位置を検出するカウント部とを用いて構成できる。
【００３４】
また、可動部６２の移動はモータ８１の回転によるものには限らず、たとえばユーザによって手動で移動させることもできる。この場合であっても、位置検出スイッチ８４は可動部６２の位置を検出し、位置検出信号を出力する。
【００３５】
図５は、表示パネルの内部構成を示す平断面図である。また、図６は可動部６２が移動した状態の表示パネルの内部構成を示す平断面図である。
【００３６】
シート材８５は、可動表示部７７の縦幅以上の幅を有し、第１固定部６１ａの略中央部に設けられたロール軸８６に巻回されている。シート材８５の色は、たとえば、可動表示部７７にバックライトが設けられている場合には黒色を用い、可動表示部７７にバックライトが設けられていない場合には白色を用いることができる。シート材８５は、可動部６２内側で、操作キー７３側に設けられたフック８７に係止されている。これによって、図６に示すように、可動部６２が操作キー７３側に移動すると、この移動によってロール軸８６が回転し、シート材８５が可動表示部７７の背面に繰り出され、シート材８５の表出面積は広くなる。
【００３７】
また、ロール軸８６は、不図示のバネなどによって繰り出し方向と逆方向に所定の付勢力が加えられているため、シート材８５は常に緊張状態を保つことができる。これにより、可動部６２が段差７１側に移動する（閉状態に近づく）と、一旦表出したシート材８５はロール軸８６に巻き付けられるようになっている。
【００３８】
図６に示すように、可動部６２が移動し、可動表示部７７が操作キー７３と重なると、操作キー７３によって可動表示部７７の表示の視認性が悪くなるが、シート材８５を設けることによって、可動表示部７７が操作キー７３上に位置したときに操作キー７３がシート材８５によって隠されることになるため、可動表示部７７の表示の視認性を向上させることができる。
【００３９】
図７は、表示パネル５１の機能的構成を示す図である。表示パネル５１の機能的構成について、図７を参照して説明する。ＣＰＵ１０１は、表示制御部１０１ａと、移動制御部１０１ｂと、入力部１０１ｃとによって構成される。表示制御部１０１ａは、表示パネル５１の表示制御をおこない、移動制御部１０１ｂは、表示パネル５１の可動部６２の移動制御をおこなう。また、入力部１０１ｃは、開閉ボタン７５と、リモコン受光部１０３と、位置検出スイッチ８４が出力する入力を受ける。表示制御部１０１ａは、記憶部１０２に蓄積されている表示用データを、固定表示部７２および可動表示部７７に出力する。
【００４０】
記憶部１０２は、固定表示部７２および可動表示部７７に表示させる表示用データを蓄積している。表示用データは、たとえば、背景画（ＢＧＶ：ＢａｃｋＧｒｏｕｎｄ  Ｖｉｄｅｏ）、トラック表示、曲名表示、時計表示、グラフィックイコライザ表示、音量表示、ＦＭ文字放送表示などである。
【００４１】
ＣＰＵ１０１の移動制御部１０１ｂは、入力部１０１ｃへの入力を受けて、モータ８１の回転を制御する。これによって、可動表示部７７が設置された可動部６２の移動を制御する。ユーザが開ボタン７５ａ、もしくは閉ボタン７５ｂを押下すると、この押下に対応した移動指示信号が移動制御部１０１ｂに出力される。リモコン受光部１０３は、ユーザが図示しないリモコンを操作することによって可動表示部７７の移動をおこなう場合、リモコンから送信される移動指示信号を受信する。これらの移動指示信号は、ＣＰＵ１０１に出力される。
【００４２】
モータ８１は、移動制御部１０１ｂの制御を受けて回転し、前述したギア群８２、ガイド部８３を介して可動部６２を移動させる。位置検出スイッチ８４は、可動部６２の位置を検出し、移動制御部１０１ｂに出力する。移動制御部１０１ｂは、開閉ボタン７５またはリモコン受光部１０３から出力された移動指示信号を受けると、モータ８１を駆動させ、可動部６２を移動させる。また、位置検出スイッチ８４から出力された位置検出信号を受け、可動部６２が所定の位置まで移動すると、モータ８１の駆動を中止し、可動部６２を停止させる。
【００４３】
可動部６２を開方向に移動させると、閉状態で重なっていた固定表示部７２および可動表示部７７のうち、可動表示部７７が移動して固定表示部７２が表出する。同時に、これら固定表示部７２および可動表示部７７をいずれも視認できる領域（以下、「表示領域」という）が増えるよう変化させることができる。このため、ＣＰＵ１０１は、表示制御部１０１ａによって、固定表示部７２および可動表示部７７の表示内容を、可動部６２の移動位置に応じて決定する。たとえば、閉状態、半開状態、全開状態のそれぞれに合せた表示内容の３つのパターンを用意しておき、これらを切りかえる、または表示領域に応じて、１つの表示の大きさを変倍するなどである。
【００４４】
そして、表示制御部１０１ａは、決定したそれぞれの表示内容の情報を、固定表示部７２および可動表示部７７に対して出力する。なお、表示内容の決定および表示情報の出力は、固定表示部７２または可動表示部７７のどちらかのみにおこなってもよい。この場合、固定表示部７２または可動表示部７７の一方の表示をおこなわない構成にもできる。例えば、全開状態及び半開状態であっても固定表示部と可動表示部の重なっている領域が少なければ、可動表示部または固定表示部のみの表示を行わせる構成にもできる。
【００４５】
図８は、車載用電子機器のハードウェア構成を示すブロック図である。図８において、車載用電子機器５０は、ＣＰＵ１０１と、ＲＯＭ１１２と、ＲＡＭ１１３と、ＣＤ／ＭＤドライブ１１４と、着脱可能な記録媒体の一例としてのＣＤ／ＭＤ１１５と、ラジオ受信部１１６と、映像／音声Ｉ／Ｆ１１７と、表示部１１８と、スピーカ１１９と、入力Ｉ／Ｆ１２０と、リモコン１２１と、操作部１２２と、を備える。また、各構成部１０１，１１２〜１２２は、バス１２５によってそれぞれ接続されている。
【００４６】
ここで、ＣＰＵ１０１は、車載用電子機器５０の全体の制御を司る。ＲＯＭ１１２は、ブートプログラムなどのプログラムを記憶している。ＲＡＭ１１３は、ＣＰＵ１０１のワークエリアとして使用される。ＣＤ／ＭＤドライブ１１４は、ＣＰＵ１０１の制御にしたがってＣＤ／ＭＤ１１５に対するデータのリード／ライトを制御する。ＣＤ／ＭＤ１１５は、ＣＤ／ＭＤドライブ１１４の制御に従って記録されたデータの読み出される着脱可能な記録媒体である。ＣＤ／ＭＤ１１５として、書込可能な記録媒体を利用することもできる。また、この着脱可能な記録媒体として、ＣＤ／ＭＤ１１５のほか、ＤＶＤ、カセットテープ、メモリカードなどであってもよい。
【００４７】
ラジオ受信部１１６は、放送局から配信されるラジオ放送電波を受信し、音声データへと変換する。また、映像／音声Ｉ／Ｆ（インターフェイス）１１７は、表示部１１８と音声出力用のスピーカ１１９とに接続される。表示部１１８は、再生中の楽曲名や音量などの各種情報が表示される。スピーカ１１９からは音声が出力される。
【００４８】
入力Ｉ／Ｆ１２０は、リモコン１２１や、操作部１２２から入力されてくるデータを入力する。リモコン１２１および操作部１２２は、音量調整などの各種指示入力のための複数のキーを備え、ユーザによる車載用電子機器５０の操作を可能とする。
【００４９】
なお、図７を参照して説明した表示パネル５１の機能的構成において、記憶部１０２はＲＯＭ１１２やＲＡＭ１１３が実現している。また、開閉ボタン７５は操作部１２２が、リモコン受光部１０３は入力Ｉ／Ｆ１２０がそれぞれその機能を実現している。また、固定表示部７２、可動表示部７７、モータ８１、位置検出スイッチ８４は、表示部１１８がその機能を実現している。
【００５０】
図９は、表示パネルの閉状態を示す斜視図である。また、図１０は、表示パネルの全開状態を示す斜視図である。表示パネル５１の開閉動作について、図９，図１０および図３−３を参照して説明する。
【００５１】
可動部６２が図９に示すように閉状態にある場合、開ボタン７５ａを押下することによって図３−３に示す半開状態となる。また、長押しすることによって図１０に示す全開状態になる。ここで、「長押しする」とは一定時間以上ボタンを押し続けることである。また、可動部６２が図３−３に示すように半開状態にある場合、開ボタン７５ａを押下することによって図１０に示す全開状態に移行する。また、閉ボタン７５ｂを押下することによって図９に示す閉状態に移行する。また、可動部６２が図１０に示すように全開状態にある場合、閉ボタン７５ｂを押下することによって図３−３に示す半開状態に移行する。また、長押しすることによって図９に示す閉状態に移行する。
【００５２】
このように、可動部６２が移動することによって表示パネル５１に設けられた固定表示部７２と可動表示部７７による表示領域を変化させることができる。この際、表示内容の制御がおこなわれ、可動表示部７７の位置に応じて画面表示が切りかえられる。つぎに、可動表示部７７の位置に応じて画面表示を切りかえる際の処理について説明する。
【００５３】
図１１は、閉状態時のＣＰＵの処理を示すフローチャートである。図１２は、半開状態時のＣＰＵの処理を示すフローチャートである。図１３は、全開状態時のＣＰＵの処理を示すフローチャートである。
【００５４】
ここでは、表示制御部１０１ａは、可動部６２の移動状態、すなわち、閉状態、半開状態、全開状態のそれぞれにおいて表示する情報のパターンを有しており、可動部６２の移動位置に応じて表示する情報のパターンを切りかえるものとする。以下に、各パターン毎に表示する情報の例を説明する。閉状態時には、パターンＩとして可動表示部７７にトラック表示および音量表示を、固定表示部７２にＢＧＶをそれぞれ表示する。また、半開状態時には、パターンＩＩとして可動表示部７７にトラック表示、時計表示、イコライザ表示を、固定表示部７２に曲名表示、ＦＭ文字放送、イコライザ表示をそれぞれ表示する。なお、イコライザ表示は、可動表示部７７および固定表示部７２の重なる部分に表示する。また、全開状態時には、パターンＩＩＩとして可動表示部７７にトラック表示、時計表示、音量表示を、固定表示部７２にＢＧＶ、曲名表示、イコライザ表示をそれぞれ表示する。なお、これらの情報は一例であって、画面表示設定などによって変更することができる。
【００５５】
はじめに、図１１を参照して表示パネル５１が閉状態時の処理について説明する。ユーザによって閉ボタン７５ｂが押下されたとき、あるいは、車載用電子機器５０の電源をオンした直後には、図１１に示す閉状態時の処理が開始されることとなる。まず、ＣＰＵ１０１は、モータ８１を逆転させ（ステップＳ２０２）、固定表示部７２上に可動表示部７７が位置する方向（可動部６２を段差７１側）へ移動させる。
【００５６】
その間、ＣＰＵ１０１は、位置検出スイッチ８４の出力を監視し、閉位置検出信号が検出されない間（ステップＳ２０３：Ｎｏ）は、ステップＳ２０２に戻り、さらにモータ８１を逆転させる。そして、閉位置検出信号が検出されると（ステップＳ２０３：Ｙｅｓ）、可動部６２は閉状態の位置に達したと判断して、モータ８１の回転を中止させる。そして、トラックおよび音量のデータを記憶部１０２から取り出し、可動表示部７７に出力する（ステップＳ２０４）。また、ＢＧＶを記憶部１０２から取り出し、固定表示部７２に出力する（ステップＳ２０５）。
【００５７】
図１４および図１５は、閉状態時の画面表示の一例を示す図である。なお、図１４〜図２１は固定表示部７２および可動表示部７７の表示面のみを模式的に表してある。
【００５８】
固定表示部７２と可動表示部７７とには、それぞれ異なった画像を表示させることができる。図１４に示すように、可動表示部７７にはトラック表示３０１および音量表示３０２が表示され、固定表示部７２にはＢＧＶ３０３がそれぞれ表示されている。ユーザが表示画面を見る際には、図中矢印Ｃに示す方向から、固定表示部７２と可動表示部７７とが重なった画面を見ることになる。このときの画面表示を図１５に示す。
【００５９】
可動表示部７７は透明な表示素子で形成されているため、可動表示部７７を透過して固定表示部７２の表示を視認することができる。これによって、図１５に示すように、トラック表示３０１と音量表示３０２およびＢＧＶ３０３が１つに重ね合わせられた表示をおこなうことができる。この例に限らず、２つの画面を重ね合わせることによって立体的表示などの多様な表示をおこなうこともできる。
【００６０】
ここで、開ボタン７５ａが長押しされた場合（ステップＳ２０６：Ｙｅｓ）、図１３に示す全開状態時の処理へ移行し（ステップＳ２０７）、本フローチャートによる処理を終了する。また、開ボタン７５ａが長押しではなく、単に押下された場合（ステップＳ２０６：Ｎｏ、ステップＳ２０８：Ｙｅｓ）、モータ８１を１０パルス正転させ（ステップＳ２０９）、可動部６２を操作キー７３側に移動させる。ここで、１０パルスとは、可動部６２が半開状態（第１固定部６１ａの略中央部の位置）に移動させる際のモータ８１に供給するパルス数の一例である。そして、半開状態時の処理へ移行し（ステップＳ２１０）、本フローチャートによる処理を終了する。なお、開ボタン７５ａが長押しされず、また、押下もされなかった場合には（ステップＳ２０６：Ｎｏ、ステップＳ２０８：Ｎｏ）、ステップＳ２０４に戻り、可動表示部７７および固定表示部７２への情報出力を継続する。
【００６１】
つぎに、図１２のフローチャートを参照して半開状態時の処理について説明する。ユーザによって閉状態時に開ボタン７５ａ、もしくは全開状態時に閉ボタン７５ｂが押下され、可動部６２が移動して可動部６２が半開状態になると、図１２に示す半開状態時の処理が開始される。
【００６２】
まず、トラック、時計、イコライザのデータを記憶部１０２から取り出し、可動表示部７７に出力する（ステップＳ２２１）。また、曲名、ＦＭ文字放送、イコライザのデータを記憶部１０２から取り出し、固定表示部７２に出力する（ステップＳ２２２）。
【００６３】
図１６は、半開状態時の画面表示の一例を示す図である。図１６に示すように、可動表示部７７にはトラック表示３０４、時計表示３０５、イコライザ表示３０６が表示される。また、固定表示部７２には曲名表示３０７、ＦＭ文字放送３０８、イコライザ表示３０９が表示される。イコライザ表示３０６，３０９は、可動表示部７７と固定表示部７２との重複部分に表示され、両表示が重ね合わされることによって立体的な視覚効果をもたらすこともできる。この場合、可動表示部７７の表示面の位置と、固定表示部７２の表示面の位置が所定距離離れていることにより、イコライザ表示３０６，３０９を立体的に見ることができるようになる。
【００６４】
これに限らず、可動表示部７７の表示面に表示するイコライザ表示３０６の座標位置と、固定表示部７２に表示するイコライザ表示３０９の座標位置をずらすことによって立体的な視覚効果を得ることもできる。また、可動表示部７７の表示面に表示するイコライザ表示３０６の大きさと、固定表示部７２に表示するイコライザ表示３０９の大きさとを変えることによって立体的な視覚効果を得ることもできる。なお、イコライザに対する実際の調節操作は、操作キー７３などによっておこなったり、後述するタッチパネルを用いて可動表示部７７の表示面上でおこなったりすることもできる。
【００６５】
ここで、開ボタン７５ａが押下された場合（ステップＳ２２３：Ｙｅｓ）、全開状態時の処理へ移行し（ステップＳ２２６）、本フローチャートによる処理を終了する。また、開ボタン７５ａが押下されず、閉ボタン７５ｂが押下された場合（ステップＳ２２３：Ｎｏ、ステップＳ２２４：Ｙｅｓ）、閉状態時の処理へ移行し（ステップＳ２２５）、本フローチャートによる処理を終了する。一方、また、開ボタン７５ａ、あるいは閉ボタン７５ｂのいずれも押下されなかった場合（ステップＳ２２３：Ｎｏ、ステップＳ２２４：Ｎｏ）、ステップＳ２２１に戻り、可動表示部７７などへ情報出力を継続する。
【００６６】
つぎに、図１３のフローチャートを参照して、全開状態時の処理について説明する。ユーザによって開ボタン７５ａが押下されるなどして全開状態に移行する場合、図１３に示す全開状態時の処理が開始されることとなる。まず、ＣＰＵ１０１は、モータ８１を正転させ（ステップＳ２４１）、可動部６２を移動させる。
【００６７】
その間、位置検出スイッチ８４を監視し、開位置検出信号が検出されない間（ステップＳ２４２：Ｎｏ）は、ステップＳ２４１に戻り、さらにモータ８１を正転させる。そして、開位置検出信号が検出されると（ステップＳ２４２：Ｙｅｓ）、可動部６２は全開状態の位置にあると判断して、モータ８１の回転を中止する。そして、トラック、時計、音量のデータを記憶部１０２から取り出し、可動表示部７７に出力する（ステップＳ２４４）。また、ＢＧＶ、曲名、イコライザのデータを記憶部１０２から取り出し、固定表示部７２に出力する（ステップＳ２４５）。
【００６８】
図１７は、全開状態時の画面表示の一例を示す図である。図１７に示すように、可動表示部７７にはトラック表示３１１、時計表示３１２、音量表示３１３が表示される。また、固定表示部７２にはＢＧＶ３１４、曲名表示３１５、イコライザ表示３１６が表示される。全開状態時の表示領域は、図１５に示した閉状態時の表示領域に比べ、約２倍に増やすことができる。
【００６９】
ここで、閉ボタン７５ｂが長押しされた場合（ステップＳ２４６：Ｙｅｓ）、閉状態時の処理へ移行し（ステップＳ２４９）、本フローチャートによる処理を終了する。また、閉ボタン７５ｂが長押しではなく、単に押下された場合（ステップＳ２４６：Ｎｏ、ステップＳ２５０：Ｙｅｓ）、モータ８１を１０パルス逆転させ（ステップＳ２５１）、半開状態時の処理に移行し（ステップＳ２５２）、本フローチャートによる処理を終了する。一方、閉ボタン７５ｂが長押しもされず、押下もされなかった場合（ステップＳ２４６：Ｎｏ、ステップＳ２５０：Ｎｏ）、ステップＳ２４４に戻り、可動表示部７７などへの情報出力を継続する。
【００７０】
このように、可動部６２の移動に伴って、表示パネル５１の表示領域は、固定表示部７２と可動表示部７７が重なった閉状態から、重複箇所のなくなる全開状態まで約２倍の幅をもって確保することができる。これによって、表示する情報量を増やすことができる。また、表示領域は、固定表示部７２、可動表示部７７、およびこれらの重複部、からなる複数の領域（図示の例では３つの領域）設けることができる。これによって、領域別に表示情報を整理した状態で表示させることができるようになる。
【００７１】
図１８〜図２１は、固定表示部および可動表示部の表示画面の他の例を示す図である。図１５〜図１７を用いて説明した表示は、表示パネル５１の開閉状態によって画面の表示内容を変化させる例であった。一方、図１８〜図２１は、表示領域を横方向に変化させる例である。図１８は表示パネル５１が閉状態であり、固定表示部７２と可動表示部７７とが重なっているときの表示例である。画面上には受信したＦＭ文字放送の文字列３２０が表示されている。
【００７２】
可動部６２を移動させ、表示パネル５１を半開状態にした場合、図１９に示すように、表示領域は図１８に示す閉状態の約１．５倍となる。たとえば、このとき、文字列３２０の各文字の横幅を約１．５倍に拡大して表示することができる。さらに、可動部６２を移動させ、表示パネル５１を全開状態にした場合、図２０に示すように、表示領域は図１８に示す閉状態の約２倍となる。このとき、文字列３２０は各文字の横幅を約２倍に拡大して表示することができる。拡大表示させることによって文字列３２０の視認性を向上できるようになる。
【００７３】
この他、図２１に示すように、可動部６２の移動にかかわらず、文字列３２０の大きさ自体は変更させない構成が考えられる。図２１の場合、可動部６２を全開位置まで移動させて表示領域を拡大した状態であり、拡大した表示領域分だけより多くの文字列３２０を表示できることが示されている。
【００７４】
このように、可動部６２が移動して表示領域を変化させたとき、固定表示部７２および可動表示部７７を１つの画面として用いることもできる。これによって、表示領域の拡大を図ることができ、多彩な画面表示が可能となる。この際、可動部６２が移動して表示領域が増大させるにつれて、操作キー７３の操作領域は減少するため、操作領域が不要であれば可動部６２を全開状態の位置まで移動させて表示領域を最大にすることができる。このように、可動部６２の移動位置を移動させることにより、所望する表示領域と、操作領域の割合を変更できるようになる。
【００７５】
ところで、可動表示部７７の表示面上には、図示しない透明なタッチパネルを設けてもよい。可動部６２が操作キー７３上にある場合、可動部６２に隠れた操作キー７３を可動表示部７７にタッチパネル用の表示をおこなうよう表示を切りかえることもできる。さらに、操作キー７３に設けられていない操作指示を、タッチパネルに表示させたり、可動部６２に操作キー７３の一部をタッチパネルとして表示させたりする構成にもできる。これによって、表示パネル５１に設ける全体のキーの数を増やし、操作性を向上させることもできる。この構成は、可動部６２の移動位置にかかわらずにおこなえる。
【００７６】
以上説明したように、本実施例によれば、固定表示部の他に、移動自在な可動表示部を備えることによって、表示領域を変更させることができ、表示する情報量を増やすことができるようになる。また、これら固定表示部と可動表示部とを重ねて表示をおこなうことによって、立体的表示などの多様な表現をおこなうことができる。これによって、表示装置の表現性や情報性を高め、車内におけるエンターテイメント性を向上させることができる。
【００７７】
また、表示部に操作指示のタッチパネル表示をおこなうことによって、表示装置に設けられる操作キーを増やすことができる。可動部によって隠れてしまった操作キーであっても、タッチパネルによって表示することによって操作を可能にすることができる。これによって、車載用電子機器の操作性を向上させることができる。
【００７８】
なお、上記の実施例においては、本発明を車載用電子機器に適用した場合を例示したが、本発明はこれ以外の電子機器にも適用可能である。
【００７９】
また、本発明にかかる表示装置は、上記の実施例の構成に限定されるものではなく、これ以外の構成であってもよい。例えば、固定表示部を可動表示部として、２つの可動表示部の相対位置を検出することにより、立体的表示などの多様な表現を行わせるようにしてもよい。
【図面の簡単な説明】
【００８０】
【図１】本実施の形態にかかる表示装置の構成を示すブロック図である。
【図２】本実施の形態にかかる表示装置がおこなう処理のフローチャートである。
【図３−１】本実施例にかかる車載用電子機器の斜視図である。
【図３−２】車載用電子機器の表示パネルをスライドさせた状態を示す斜視図である。
【図３−３】車載用電子機器の表示パネルの斜視図である。
【図４】表示パネルの移動機構を示す正断面図である。
【図５】表示パネルの内部構成を示す平断面図である。
【図６】可動部６２が移動した状態の表示パネルの内部構成を示す平断面図である。
【図７】表示パネル５１の機能的構成を示す図である。
【図８】車載用電子機器のハードウェア構成を示すブロック図である。
【図９】表示パネルの閉状態を示す斜視図である。
【図１０】表示パネルの全開状態を示す斜視図である。
【図１１】閉状態時のＣＰＵの処理を示すフローチャートである。
【図１２】半開状態時のＣＰＵの処理を示すフローチャートである。
【図１３】全開状態時のＣＰＵの処理を示すフローチャートである。
【図１４】閉状態時の画面表示の一例を示す図である。
【図１５】閉状態時の画面表示の一例を示す図である。
【図１６】半開状態時の画面表示の一例を示す図である。
【図１７】全開状態時の画面表示の一例を示す図である。
【図１８】固定表示部および可動表示部の表示画面の他の例を示す図である。
【図１９】固定表示部および可動表示部の表示画面の他の例を示す図である。
【図２０】固定表示部および可動表示部の表示画面の他の例を示す図である。
【図２１】固定表示部および可動表示部の表示画面の他の例を示す図である。
【符号の説明】
【００８１】
１  表示装置
２  第１の表示部
３  第２の表示部
４  位置検出部
５  決定部
６  表示制御部
７  移動部
８  移動操作部
５０  車載用電子機器
５１  表示パネル
５２  格納部
５２ａ  正面部
５５  ディスク挿入口
６１  固定部
６１ａ  第１固定部
６１ｂ  第２固定部
６２  可動部
６２ａ  表面部
６２ｂ  両端部
７１  段差
７２  固定表示部
７３  操作キー
７５  開閉ボタン
７５ａ  開ボタン
７５ｂ  閉ボタン
７７  可動表示部
８１  モータ
８２  ギア群
８３  ガイド部
８４  位置検出スイッチ
８５  シート材
８６  ロール軸
８７  フック
【図１】
2006078788.tif 000003
【図２】
2006078788.tif 000004
【図３−１】
2006078788.tif 000005
【図３−２】
2006078788.tif 000006
【図３−３】
2006078788.tif 000007
【図４】
2006078788.tif 000008
【図５】
2006078788.tif 000009
【図６】
2006078788.tif 000010
【図７】
2006078788.tif 000011
【図８】
2006078788.tif 000012
【図９】
2006078788.tif 000013
【図１０】
2006078788.tif 000014
【図１１】
2006078788.tif 000015
【図１２】
2006078788.tif 000016
【図１３】
2006078788.tif 000017
【図１４】
2006078788.tif 000018
【図１５】
2006078788.tif 000019
【図１６】
2006078788.tif 000020
【図１７】
2006078788.tif 000021
【図１８】
2006078788.tif 000022
【図１９】
2006078788.tif 000023
【図２０】
2006078788.tif 000024
【図２１】
2006078788.tif 000025